(57)【要約】【課題】外箱の小形化ひいては全体の小形化もしくは水槽並びに回転槽の大形化を実現しつつ、水槽の横方向の振動の低減ができる洗濯機を提供する。【解決手段】水槽を外箱１の底板１ａ上で主として上下方向に緩衝支持するサスペンション７により、水槽の上下方向（縦方向）の振動を減衰し、外箱１の底板１ａ上にサスペンション７と並べて設けた抑制部材４０により、水槽６の横方向の振動を抑制するようにした。又、抑制部材４０は、上下方向には可動であり、それによって、水槽６の上下方向の振動を抑制部材４０が外箱１の底板１ａに伝達することを避け、更にその外箱１の底板１ａから洗濯機を設置した家屋の床面への伝達、そして、それによる騒音の発生を避けることができるようにした。【選択図】図１
2015016076.tif 000002
【特許請求の範囲】
【請求項１】
外箱と、
この外箱の内部に位置する水槽と、
この水槽の内部に位置して回転駆動される回転槽と、
前記水槽を前記外箱の底板上で主として上下方向に緩衝支持するサスペンションとを具備する洗濯機において、
前記外箱の底板上に、前記サスペンションと並べて、上下方向には可動で、前記水槽の横方向の振動を抑制する抑制部材を設けたことを特徴とする洗濯機。
【請求項２】
前記抑制部材が、前記水槽の横方向の振動を減衰させる機能を有することを特徴とする請求項１記載の洗濯機。
【請求項３】
前記抑制部材が、前記水槽の横方向の振動を減衰させる機能を、粘弾性体にて有することを特徴とする請求項２記載の洗濯機。
【請求項４】
前記抑制部材が、前記水槽の横方向の振動を減衰させる機能を、粘性流体にて有することを特徴とする請求項２記載の洗濯機。
【発明の詳細な説明】
【技術分野】
【０００１】
本発明の実施形態は洗濯機に関する。
【背景技術】
【０００２】
従来より、洗濯機、中でもドラム式洗濯機においては、外箱の内部に水槽が位置し、この水槽の内部に回転槽であるドラムが位置していて、このドラムが水槽外のモータにより回転駆動されることにより、洗濯、脱水、更には乾燥を行うようになっている。又、水槽は、外箱の内部でサスペンションにより支持されている（例えば特許文献１参照）。
この洗濯機におけるサスペンションは、重量の大きな水槽を支持するために、軸方向がほゞ上下方向となるように設置されており、その上下方向に緩衝機能を果たすようになっている。すなわち、洗濯機におけるサスペンションは、水槽の主として上下方向の振動に対して有効に機能するようになっている。
【０００３】
しかしながら、水槽は、ドラムが収容した洗濯物の偏在を因とした偏荷重により左右、前後など横方向（水平方向）にも振れることに伴い、横方向にも振動するものであり、この水槽の横方向の振動に対して、上記サスペンションは有効には機能し得ないものであった。
このため、一般的には水槽とこれの横方向に存在する外箱側板部との間に水槽の振幅以上の間隔をあけることにより、外箱側板部に対する水槽の衝突を避けるようにしている。しかしながら、このものでは、外箱が大形化して全体の大形化を招来し、もしくは水槽並びにドラムが小形化して洗濯容量の低下を招来していた。
【０００４】
これに対して、水槽と外箱側板部との間に振動吸収部材を介在させて、水槽の横方向の振動を低減するようにする考えがある（例えば特許文献２参照）。
【先行技術文献】
【特許文献】
【０００５】
【特許文献１】特開２００５−２４５５７７号公報
【特許文献２】特開２０１２−１９２０９６号公報
【発明の概要】
【発明が解決しようとする課題】
【０００６】
上述のように考えられたものの場合、振動吸収部材で水槽の横方向の振動を低減するのであるが、その振動吸収部材を水槽と外箱側板部との間に介在させる構成のため、外箱の小形化ひいては全体の小形化を実現するのが困難であり、水槽並びにドラムの大形化を実現するのも困難である。更に、低減しても振動吸収部材を介して伝わる振動によるたわみや変形を惹起しないように外箱側板部を補強する必要があり、補強材の追加や板厚の増加などで、外箱の小形化ひいては全体の小形化を実現するのが一層困難である。
【０００７】
そこで、外箱の小形化ひいては全体の小形化もしくは水槽並びに回転槽の大形化を実現しつつ、水槽の横方向の振動の低減ができる洗濯機を提供する。
【課題を解決するための手段】
【０００８】
本実施形態の洗濯機は、外箱と、この外箱の内部に位置する水槽と、この水槽の内部に位置して回転駆動される回転槽と、前記水槽を前記外箱の底板上で主として上下方向に緩衝支持するサスペンションとを具備するものにおいて、前記外箱の底板上に、前記サスペンションと並べて、上下方向には可動で、前記水槽の横方向の振動を抑制する抑制部材を設けたことを特徴とする。
【図面の簡単な説明】
【０００９】
【図１】第１の実施形態を示す主要部分の縦断側面図
【図２】洗濯機全体の、一部を破断した縦断側面図
【図３】サスペンション単体の縦断側面図
【図４】第２の実施形態を示す図１相当図
【図５】第３の実施形態を示す図１相当図
【図６】第４の実施形態を示す図１相当図
【図７】第５の実施形態を示す図１相当図
【図８】第６の実施形態を示す図１相当図
【図９】第７の実施形態を示す図１相当図
【発明を実施するための形態】
【００１０】
以下、ドラム式洗濯乾燥機に適用した第１の実施形態につき、図１から図３を参照して説明する。
まず、図２には、ドラム式洗濯乾燥機の全体構造を示しており、外箱１を外殻としている。この外箱１は、最下部に底板１ａを有しており、この底板１ａの外下面の四隅部にそれぞれ脚１ｂを有している。外箱１の前側板部（図２で左側）のほゞ中央部には、洗濯物出入口２を有しており、この出入口２に対しては、それを開閉する扉３を設けている。又、外箱１の前側板部の上部には、操作パネル４を設けており、その裏側（外箱１内）に運転制御用の制御装置５を設けている。
【００１１】
外箱１の内部には、水槽６を配設している。この水槽６は軸方向が前後（図２で左右）の横軸筒状を成すものであり、それを外箱１の底板１ａ上に、左右一対（右側の一方のみ図示）の二つのサスペンション７によって前上がりの傾斜状にて弾性支持している。サスペンション７の詳細構造は、後に述べる。
水槽６の背部にはモータ８と軸受ハウジング９を取付けている。モータ８は、この場合、例えば直流のブラシレスモータであって、アウターロータ形であり、ロータ８ａの中心部に有する回転軸（図示省略）を、軸受ハウジング９を介して水槽６の内部に挿入している。
【００１２】
水槽６の内部には、ドラム１０を配設している。このドラム１０も軸方向が前後の横軸円筒状を成すもので、それを後部の中心部で上記モータ８の回転軸の先端部に取付けることにより、水槽６と同軸の前上がりの傾斜状に支持している。又、その結果、ドラム１０はモータ８により回転されるようになっており、従って、ドラム１０は回転槽であり、モータ８はドラム１０を回転させるドラム駆動装置として機能するようになっている。
【００１３】
ドラム１０の周側部（胴部）には、小孔１１を全域にわたって多数（一部のみ図示）形成している。又、ドラム１０及び水槽６は、ともに前面部に開口部１２，１３を有しており、そのうちの水槽６の開口部１３に、環状のベローズ１４を介して前記洗濯物出入口２を連ねている。この結果、洗濯物出入口２は、ベローズ１４、水槽６の開口部１３、及びドラム１０の開口部１２を介して、ドラム１０の内部に連なっている。
【００１４】
水槽６の最低部である底部の後部には、図示しない排水口を形成しており、この排水口に排水弁１５を介して、排水管１６を接続している。又、水槽６の背部から上方そして前方には、乾燥ユニット１７を配設している。この乾燥ユニット１７は、除湿器１８と、送風装置１９、及び加熱装置２０を有しており、水槽６内の空気を除湿し、次いで加熱して、水槽６内に戻す循環を行わしめることにより、洗濯物を乾燥させるようになっている。
【００１５】
ここで、サスペンション７の詳細構造を述べる。サスペンション７は、図３に示すように、大別すると、ダンパ２１とスプリング２２とで構成しており、そのうちのダンパ２１は、シャフト２３とシリンダ２４とを具えている。シリンダ２４は、外筒２４ａ及び内筒２４ｂの二重筒から成っており、その外筒２４ａの軸方向（上下）両端の開口部をキャップ２４ｃ，２４ｄで閉塞し、内筒２４ｂの同じく軸方向両端の開口部にはシール２４ｅ，２４ｆを挿着している。
【００１６】
シャフト２３の下端部にはピストンバルブ２５を取付けており、このピストンバルブ２５と共にシャフト２３の下部をシリンダ２４の内筒２４ｂ内に軸方向移動可能に挿入し、該シャフト２３のピストンバルブ２５上の部分を、上記シール２４ｅ、軸受２６、及びキャップ２４ｃを通してシリンダ２４外の上方に位置させている。ピストンバルブ２５は、外周面が内筒２４ｂの内周面に密接するものであり、その外周面近くに、軸方向に開通するオリフィス孔２５ａを複数有している。
【００１７】
シリンダ２４の内筒２４ｂ内には又、ピストンバルブ２５の上下両方に粘性流体であるオイル２７を充填しており、すなわち、本実施形態のダンパ２１は、オイルダンパであって、オイル２７は、オリフィス孔２５ａ内にも充填している。
前記シリンダ２４外の上方に位置したシャフト２３の上端近くの部分にはばね受け座２８を取付けており、このばね受け座２８とシリンダ２４の上端部との間に前記スプリング（圧縮コイルばね）２２を介在させている。
以上により、サスペンション７を組立て構成している。
【００１８】
シャフト２３は、上端部に取付部２３ａを有しており、それに対して、前記水槽６は図２に示すように外周側面に取付部６ａを有し、この取付部６ａに取付板２９を図１に示す複数のねじ３０で取付けている。そして、その取付板２９に、上下の防振クッション３１，３２を介して、上記シャフト２３の取付部２３ａを挿通し、その上方突出端部にナット３３をワッシャ３３ａを介し螺合して締付けることにより、シャフト２３の上端部を取付板２９に取付け、ひいてはサスペンション７の上端部を水槽６に取付けている。
【００１９】
一方、シリンダ２４の下端部には図３に示すロッド状の取付部材３４を取付けており、それに対して、前記底板１ａには図２に示す取付板３５を図１に示す複数のねじ３６で取付けており、この取付板３５に、上下の防振クッション３７，３８を介して、上記シリンダ２４の取付部材３４を挿通し、その下方突出端部にナット３９をワッシャ３９ａを介し螺合して締付けることにより、シリンダ２４の下端部を取付板３５に取付け、ひいてはサスペンション７の下端部を底板１ａに取付けている。
【００２０】
このようにして水槽６を外箱１の底板１ａ上にサスペンション７を介在させて取付けており、そのサスペンション７により水槽６を外箱１の底板１ａ上で主として上下方向に緩衝支持するようにしている。
【００２１】
そして、上記外箱１の底板１ａ上には、サスペンション７と並べて抑制部材４０を設けている。この抑制部材４０は、この場合、全部が弾性体、特には粘弾性体から成るもので、中でも硬度が３０度程度の比較的柔軟なゴム棒から成っており、特に上下方向には伸縮することで可動となっている。又、この抑制部材４０は、弾性体、特には粘弾性体から成ることにより、水槽６の横方向の振動によって剪断方向に変形されることで熱としてそれを減衰させる機能を有している。
【００２２】
しかして、この抑制部材４０の上端部を、サスペンション７の上端部である前記シャフト２３の取付部２３ａと共通に、前記水槽６の取付板２９に抜脱不能に嵌め込んで取付け、下端部を、サスペンション７の下端部である前記シリンダ２４の取付部材３４と共通に、底板１ａの取付板３５に抜脱不能に嵌め込んで取付けることで、抑制部材４０を水槽６と外箱１の底板１ａとの間に介在させている。
なお、サスペンション７と抑制部材４０とは、その間隔寸法が例えば１０〜１５〔ｃｍ〕程度で、近く、サスペンション７の前側に抑制部材４０が位置している。
【００２３】
次に、上記構成のものの作用を述べる。
上記構成のドラム式洗濯乾燥機においては、操作パネル４の操作に基づき、制御装置５が運転を開始させると、標準的には洗濯、脱水、及び乾燥が行われる。
【００２４】
そのうち、洗濯は、図示しない給水弁から水槽６内への所定水位の給水が行われた後に、ドラム１０がモータ８により正逆両方向に交互に低速回転されることにより行われるもので、それにより、ドラム１０内にあらかじめ収容された洗濯物が上昇されてから落下されること（タンブリング）が繰返されて撹拌され、洗浄される。
洗濯物の洗濯には、洗剤を含む水で洗浄する洗いと、清水で洗浄するすすぎとがあり、そのいずれの場合にも、上述の運転が行われ、それらの終了後には、排水弁１５が開放されて水槽６内の水を排水管１６を通じ機外に排出する排水が行われる。
【００２５】
脱水は、排水弁１５を開放させた状態で、ドラム１０がモータ８により一方向に高速回転されることにより行われるもので、それにより、ドラム１０内の洗濯後の洗濯物が小孔１１を通して遠心脱水される。
【００２６】
そして、乾燥は、ドラム１０がモータ８により正逆両方向に交互に低速回転されると同時に、乾燥ユニット１７が作動されることにより行われるもので、乾燥ユニット１７では、前述のように、水槽６内の空気が、送風装置１９で循環される状況で、除湿器１８で除湿され、次いで加熱装置２０で加熱されて、水槽６内に戻されることを繰返すことにより、ドラム１０内の脱水後の洗濯物が乾燥される。
【００２７】
このようなドラム式洗濯乾燥機の運転の中で、ドラム１０が回転されるときには、該ドラム１０が振動し、中でもドラム１０が高速回転される脱水時に大きく振動する。更にその場合、ドラム１０内の洗濯物に偏在があれば、ドラム１０は偏荷重のために一層大きく振動する。このようにドラム１０が振動すると、ドラム１０を収容して該ドラム１０と一体化した水槽６も振動する。
【００２８】
水槽６の振動、中でも上下方向の振動に対しては、水槽６と一体にサスペンション７のシャフト２３がスプリング２２を伸縮させつつ軸方向の上下に往復動する。このシャフト２３の往復動に伴い、シリンダ２４内では、オイル２７中をピストンバルブ２５が上下に往復動し、それにより、ピストンバルブ２５のオリフィス孔２５ａをオイル２７が相対的に通過する。ここで、オイル２７の粘性により、サスペンション７において減衰力が発生し、水槽６の振幅を減衰させる。
【００２９】
一方、水槽６の横方向の振動については、水槽６がサスペンション７の軸心周りを捩るようにしてその横方向の振動を生じるものであり、このとき、外箱１の底板１ａ上にサスペンション７と並べて設けた抑制部材４０がその弾性力にて水槽６のサスペンション７の軸心周りの捩りによる剪断方向の変形で抵抗力となることにより、水槽６の横方向の振動を抑制する。
【００３０】
このように上記構成のものでは、水槽６を外箱１の底板１ａ上で主として上下方向に緩衝支持するサスペンション７により、水槽６の上下方向（縦方向）の振動を減衰し、外箱１の底板１ａ上にサスペンション７と並べて設けた抑制部材４０により、水槽６の横方向の振動を抑制するもので、特に横方向の振動を抑制するのに、従来考えられたもののような振動吸収部材を水槽と外箱側板部との間に介在させて実現する構成ではない。
【００３１】
よって、その振動吸収部材を使用しない分、外箱１の小形化ひいては全体の小形化を実現することができ、もしくは水槽６の大形化ひいてはドラム１０の大形化を実現することができて、洗濯容量の増加を実現することができる。更に、抑制部材４０による水槽６の横方向の振動を抑制する機能については、外箱１を補強する必要なくそれが得られるもので、外箱１の小形化ひいては全体の小形化を実現するのが一層確実にできる。
【００３２】
この場合、抑制部材４０は、水槽６の横方向の振動を前述のように弾性力で抑制するものであるから、弾性を有すれば良いものであり、従って、その弾性を有する金属棒等であっても良いが、それであると、水槽６の上下方向の振動を外箱１の底板１ａに伝達してしまう懸念がある。それに対して、抑制部材４０は、上下方向には可動であり、それによって、水槽６の上下方向の振動を抑制部材４０が外箱１の底板１ａに伝達することを避けることができ、更にその外箱１の底板１ａから洗濯機を設置した家屋の床面への伝達、そして、それによる騒音の発生を避けることができる。
【００３３】
加えて、抑制部材４０は、水槽６の横方向の振動により剪断方向に変形されることでそれを減衰させる機能を有しており、それによって、水槽６の横方向の振動をより効果的に抑制することができる。
又、抑制部材４０は、粘弾性体から成ることで水槽６の横方向の振動を減衰させる機能を有しており、その粘弾性力による減衰機能で、水槽６の横方向の振動をより一層効果的に抑制することができる。
【００３４】
そのほか、抑制部材４０は、サスペンション７に近く位置しており、水槽６が横方向に振動するときの抑制部材４０の抵抗力がより大きく作用するので、これによっても、水槽６の横方向の振動をより効果的に抑制することができる。
【００３５】
なお、水槽６は、背部すなわち後側に重量物であるモータ８や軸受ハウジング９を有しており、このため、ドラム１０内における洗濯物の偏在の影響は、洗濯物の偏在がドラム１０内の後側にあるときには大して大きくなく、従って、このときの洗濯物の偏在を因として発生する水槽６の横方向の振動は大して大きくない。それに比して、洗濯物の偏在がドラム１０内の前側にあるときには、ドラム１０内における洗濯物の偏在の影響が大きく、このときの洗濯物の偏在を因として発生する水槽６の横方向の振動は大きい。
【００３６】
これに対して、抑制部材４０はサスペンション７の前側に位置していて、水槽６の横方向の振動が大きく発生する、洗濯物の偏在がドラム１０内の前側にあるときに、水槽６の横方向の振動をより効果的に抑制するものとして作用するので、水槽６の横方向の振動を更に一層効果的に抑制することができる。
但し、抑制部材４０はサスペンション７の前側以外、例えば左右の横側に設けるようにしても良く、更には後側に設けるようにしても良い。要するに、サスペンション７の周辺のいずれかに設けるようにすれば良い。
【００３７】
以上に対して、図４から図９は第２から第７の実施形態を示すもので、それぞれ、第１の実施形態と同一の部分には同一の符号を付して説明を省略し、異なる部分についてのみ述べる。
【００３８】
［第２の実施形態］
図４に示す第２の実施形態においては、抑制部材４０に代わる抑制部材５１を用いている。この抑制部材５１は、前記弾性体（特には粘弾性体であって、中でも硬度が３０度程度の比較的柔軟なゴム材）を部分的に使用したもので、鉄等の金属やプラスチック等から成る長めの円筒状の支持体５２と、この支持体５２の上部に下部を埋め込んで固着した上記弾性体から成る短めの円柱状の主体５３、及びこの主体５３の上部に下部を埋め込んで固着したロッド状の取付部材５４を有して成る。
【００３９】
この構成で、取付部材５４の中間部に形成したフランジ部５４ａよりも上方のねじ部５４ｂを、前記水槽６の取付板２９に挿通し、フランジ部５４ａを取付板２９の下面に当接させて、ねじ部５４ｂの突出部にナット５５を螺合して締付けることにより、抑制部材５１の上端部を取付板２９に取付けている。
【００４０】
一方、支持体５２の下端部に形成したフランジ部５２ａを、前記底板１ａの取付板３５の上面に当接させて、フランジ部５２ａから取付板３５に複数のねじ棒５６を挿通し、その各上下の突出部にそれぞれナット５７を螺合して締付けることにより、抑制部材５１の下端部を取付板３５に取付けている。
【００４１】
このように弾性体を部分的に使用した抑制部材５１であっても、水槽６の横方向の振動に対しては、弾性体から成る主体５３がその弾性力により水槽６のサスペンション７の軸心周りの捩りによる剪断方向の変形で抵抗力となることにより、水槽６の横方向の振動を抑制するので、第１の実施形態と同様の作用効果を得ることができる。
なお、この場合も、抑制部材５１は、主体５３が特に上下方向には伸縮することで可動となっており、且つ、主体５３が弾性体、特には粘弾性体から成ることで、水槽６の横方向の振動に対してそれを減衰させる機能を有している。
【００４２】
［第３の実施形態］
図５に示す第３の実施形態においては、抑制部材４０に代わる抑制部材６１を用いている。この抑制部材６１も前記弾性体を部分的に使用したもので、上記第２の実施形態における抑制部材５１の支持体５２と同様の支持体６２と、この支持体６２の上部内周に装着固定した弾性体から成る環状の主体６３、この主体６３の内周に装着固定した同じく環状の軸受６４、及びこの軸受６４に軸方向摺動可能に挿通した長めのロッド状の取付部材６５を有して成る。
【００４３】
この構成で、上記第２の実施形態における抑制部材５１の取付部材５４同様に、取付部材６５の中間部に形成したフランジ部６５ａよりも上方のねじ部６５ｂを、前記水槽６の取付板２９に挿通し、フランジ部６５ａを取付板２９の下面に当接させて、ねじ部６５ｂの突出部にナット６６を螺合して締付けることにより、抑制部材５１の上端部を取付板２９に取付けている。
【００４４】
一方、上記第２の実施形態における抑制部材５１の支持体５２同様に、支持体６２の下端部に形成したフランジ部６２ａを、前記底板１ａの取付板３５の上面に当接させて、フランジ部６２ａから取付板３５に複数のねじ棒６７を挿通し、その各上下の突出部にそれぞれナット６８を螺合して締付けることにより、抑制部材５１の下端部を取付板３５に取付けている。
【００４５】
このように弾性体を部分的に使用した抑制部材６１であっても、水槽６の横方向の振動に対しては、弾性体から成る主体６３がその弾性力により水槽６のサスペンション７の軸心周りの捩りによる剪断方向の変形で抵抗力となることにより、水槽６の横方向の振動を抑制するので、第１の実施形態と同様の作用効果を得ることができる。
【００４６】
なお、この場合には、抑制部材６１は、取付部材６５が軸受６４の内周を軸方向にほゞ自由に摺動することで上下方向に可動となっており、且つ、主体６３が弾性体、特には粘弾性体から成ることで、水槽６の横方向の振動に対してそれを減衰させる機能を有している。
【００４７】
［第４の実施形態］
図６に示す第４の実施形態においては、抑制部材４０に代わる抑制部材７１を用いている。この抑制部材７１は、前記弾性体に代えて防振クッション７２，７３，７４，７５を用いたもので、前記第２の実施形態における抑制部材５１の支持体５２と同様の円筒状であるもののそれより短い支持体７６と、この支持体７６の上部内周に装着固定した環状の軸受７７、この軸受７７に軸方向摺動可能に挿通したロッド状の取付部材７８、支持体７６の下端部に取付けたロッド状の取付部材７９、及び前記弾性体同様の弾性体（特には粘弾性体であって、中でも硬度が３０度程度の比較的柔軟なゴム材）から成る上記防振クッション７２〜７５を有して成る。
【００４８】
この構成で、取付部材７８の中間部に形成したフランジ部７８ａよりも上方の部分７８ｂを、前記水槽６の取付板２９に上下の防振クッション７２，７３を介して挿通し、その突出端部にワッシャ８０を介しナット８１を螺合して締付けることにより、抑制部材７１の上端部を取付板２９に取付けている。
【００４９】
一方、取付部材７９を前記底板１ａの取付板３５に同じく上下の防振クッション７４，７５を介して挿通し、その突出端部にワッシャ８２を介しナット８３を螺合して締付けることにより、抑制部材７１の下端部を取付板３５に取付けている。
【００５０】
このように抑制部材７１を防振クッション７２〜７５を介して取付ける構成としても、水槽６の横方向の振動に対しては、弾性体から成るその防振クッション７２〜７５がその弾性力により水槽６のサスペンション７の軸心周りの捩りによる剪断方向の変形で抵抗力となることにより、水槽６の横方向の振動を抑制するので、第１の実施形態と同様の作用効果を得ることができる。
【００５１】
なお、この場合にも、抑制部材７１は、取付部材７８が軸受７７の内周を軸方向にほゞ自由に摺動することで上下方向に可動となっており、且つ、防振クッション７２〜７５が弾性体、特には粘弾性体から成ることで、水槽６の横方向の振動に対してそれを減衰させる機能を有している。
【００５２】
［第５の実施形態］
図７に示す第５の実施形態においては、抑制部材４０に代わる抑制部材９１を用いている。この抑制部材９１は、上記第４の実施形態における抑制部材７１の軸受７７に代えてそれより薄肉に形成した軸受９２の外周（支持体７６との間）に、前記第３の実施形態における抑制部材６１の主体６３と同様の補助部材９３を介在固定させて成る点以外は、上記第４の実施形態における抑制部材７１と同様のものであり、従って、その第４の実施形態における抑制部材７１と同一の部分には同一の符号を付して示している。
【００５３】
このものでは、水槽６の横方向の振動に対しては、弾性体から成る防振クッション７２〜７５がその弾性力により水槽６のサスペンション７の軸心周りの捩りによる剪断方向の変形で抵抗力となると共に、同じく弾性体から成る補助部材９３がその弾性力により水槽６のサスペンション７の軸心周りの捩りによる剪断方向の変形で抵抗力となることにより、水槽６の横方向の振動を抑制するので、第３の実施形態並びに第４の実施形態以上の作用効果を得ることができる。
【００５４】
なお、この場合にも、抑制部材７１は、取付部材７８が軸受９２の内周を軸方向にほゞ自由に摺動することで上下方向に可動となっており、且つ、防振クッション７２〜７５と補助部材９３が弾性体、特には粘弾性体から成ることで、水槽６の横方向の振動に対してそれを減衰させる機能を有している。
【００５５】
［第６の実施形態］
図８に示す第６の実施形態においては、抑制部材４０に代わる抑制部材１０１を用いている。この抑制部材１０１は、前記第３の実施形態における抑制部材６１の支持体６２と、同第３の実施形態における抑制部材６１の取付部材６５との間に、同第３の実施形態における主体６３と軸受６４とに代えて、容器１０２に封入した粘性流体１０３を介在させて成る点以外は、第３の実施形態における抑制部材６１と同様のものであり、従って、その第３の実施形態における抑制部材６１と同一の部分には同一の符号を付して示している。
【００５６】
この場合、容器１０２は、例えばＥＰＤＭ（エチレン−プロピレン−ジエンゴム）や、ＮＢＲ（ニトリル−ブタジエンゴム）、ブチルゴム等から成るもので、変形可能、特に横方向に変形可能なものであり、粘性流体１０３は例えばシリコンオイルから成っている。そして、これら容器１０２及び粘性流体１０３は、支持体６２内の下奥部から上方外部まで比較的長範囲にわたる寸法で設けている。
【００５７】
このものでは、水槽６の横方向の振動に対して、粘性流体１０３が容器１０２を変形させつつ圧縮と膨張を繰返すもので、その弾性力により水槽６のサスペンション７の軸心周りの捩りに対する抵抗力となり、水槽６の横方向の振動を抑制するので、第１の実施形態と同様の作用効果を得ることができる。
【００５８】
なお、この場合には、抑制部材１０１は、取付部材６５が軸方向にも容器１０２を変形させつつ粘性流体１０３の圧縮と膨張とを繰返すことで上下方向に可動となっており、且つ、粘性流体１０３の粘性により、水槽６の横方向の振動に対してそれを減衰させる機能を有している。
【００５９】
［第７の実施形態］
図９に示す第７の実施形態においては、抑制部材４０に代わる抑制部材１１１を用いている。この抑制部材１１１は、前記第３の実施形態における抑制部材６１の主体６３に代えて、容器１１２に封入した粘性流体１１３を介在させて成る点以外は、第３の実施形態における抑制部材６１と同様のものであり、従って、その第３の実施形態における抑制部材６１と同一の部分には同一の符号を付して示している。
【００６０】
この場合、容器１１２は上記第６の実施形態における容器１０２と同材質のものであり、粘性流体１１３も上記第６の実施形態における粘性流体１０３と同材質のものである。但し、容器１１２は上記第６の実施形態における容器１０２より短いもので、粘性流体１１３は上記第６の実施形態における粘性流体１０３より少量のものであり、ともに支持体６２内の上部に収まる寸法範囲で設けている。
【００６１】
このものでも、水槽６の横方向の振動に対して、粘性流体１１３が容器１１２を変形させつつ圧縮と膨張を繰返すもので、その弾性力により水槽６のサスペンション７の軸心周りの捩りに対する抵抗力となり、水槽６の横方向の振動を抑制するので、第１の実施形態と同様の作用効果を得ることができる。
【００６２】
なお、この場合、抑制部材１１１は、取付部材６５が軸受６４の内周を軸方向にほゞ自由に摺動することで上下方向に可動となっており、且つ、粘性流体１１３の粘性により、水槽６の横方向の振動に対してそれを減衰させる機能を有している。
【００６３】
このほか、特に洗濯機の全体としては、ドラム式には限られず、槽を縦軸状に有する縦軸形洗濯機にも同様に適用して実施できるし、乾燥機能は有していなくても良い。
更に、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６４】
図面中、１は外箱、１ａは底板、６は水槽、７はサスペンション、８はモータ、１０はドラム（回転槽）、４０は抑制部材（粘弾性体）、５１は抑制部材、５３は主体（粘弾性体）、６１は抑制部材、６３は主体（粘弾性体）、７１は抑制部材、７２〜７５は防振クッション（粘弾性体）、９１は抑制部材、９３は補助部材（粘弾性体）、１０１は抑制部材、１０３は粘性流体、１１１は抑制部材、１１３は粘性流体を示す。
【図１】
2015016076.tif 000003
【図２】
2015016076.tif 000004
【図３】
2015016076.tif 000005
【図４】
2015016076.tif 000006
【図５】
2015016076.tif 000007
【図６】
2015016076.tif 000008
【図７】
2015016076.tif 000009
【図８】
2015016076.tif 000010
【図９】
2015016076.tif 000011